(57)【要約】【課題】ＥＭＭを効率よく取得して、ＥＭＭの総量が増加しても対応受信装置の待機電力の増加を抑圧可能とする。【解決手段】契約情報を通知する最新のＥＭＭを一定期間、複数ＴＳ中に映像音声信号とともに多重して、放送信号として送出する場合に、前記ＴＳそれぞれに前記ＥＭＭを互いに所定のパターンでずらして多重し、前記ＴＳそれぞれで前記ＥＭＭの多重化パターンを示す制御情報を前記放送ＴＳに組み込んで伝送する。【選択図】図１
2015095875.tif 000002
【特許請求の範囲】
【請求項１】
契約情報を通知する最新のＥＭＭ（Entitlement Management Message）を一定期間、複数のＴＳ（Transport Stream）中に映像音声信号とともに多重して送出する限定受信放送装置において、
前記ＴＳそれぞれに前記ＥＭＭを互いに所定のパターンでずらして多重する多重化手段と、
前記ＴＳそれぞれで前記ＥＭＭの多重化パターンを示す制御情報を前記放送ＴＳに組み込んで伝送する制御情報伝送手段と
を具備する限定受信放送装置。
【請求項２】
前記制御情報伝送手段は、前記ＥＭＭの多重化パターン制御情報を放送コンテンツの番組関連情報の一部として伝送する請求項１記載の限定受信放送装置。
【請求項３】
契約情報を通知する最新のＥＭＭ（Entitlement Management Message）を一定期間、複数のＴＳ（Transport Stream）中に映像音声信号とともに多重して、放送信号として送出する限定受信放送に対応する受信装置であって、
前記複数ＴＳそれぞれに前記ＥＭＭが互いに所定のパターンでずらして多重され、前記複数ＴＳそれぞれで前記ＥＭＭの多重化パターンを示す制御情報が前記放送ＴＳに組み込まれて伝送されるとき、
前記複数ＴＳのうちのいずれかの受信チャンネルから前記制御情報を取得する取得手段と、
前記制御情報から受信ＴＳの前記ＥＭＭの多重化パターンを判別する判別手段と、
前記多重化パターンの判別結果から前記ＥＭＭ受信期間を確保可能なＴＳを検出する検出手段と、
前記検出手段で検出されたＴＳに対して前記ＥＭＭを更新するための通電を設定する通電手段と
を具備する受信装置。
【請求項４】
さらに、前記検出手段で前記ＥＭＭ受信期間を確保可能なＴＳが検出できなかったとき、通電制御のエラーメッセージを提示するエラー提示手段を備える請求項３記載の受信装置。
【請求項５】
契約情報を通知する最新のＥＭＭ（Entitlement Management Message）を一定期間、複数ＴＳ（Transport Stream）中に映像音声信号とともに多重して送出する限定受信放送方法において、
放送側で、前記ＴＳそれぞれの放送ＴＳに前記ＥＭＭを互いに所定のパターンでずらして多重し、前記ＴＳそれぞれで前記ＥＭＭの多重化パターンを示す制御情報を前記放送ＴＳに組み込んで伝送するようにし、
受信側で、前記複数ＴＳのうちのいずれかの受信ＴＳから前記制御情報を取得し、前記制御情報から受信ＴＳの前記ＥＭＭの多重化パターンを判別し、前記多重化パターンの判別結果から前記ＥＭＭ受信期間を確保可能なＴＳを検出し、検出されたＴＳに対して前記ＥＭＭを更新するための通電を設定する限定受信放送方法。
【請求項６】
前記制御情報は、前記ＥＭＭの多重化パターン制御情報を放送コンテンツの番組関連情報の一部として伝送する請求項５記載の限定受信放送方法。
【請求項７】
さらに、前記受信側で前記ＥＭＭ受信期間を確保可能なＴＳが検出できなかったとき、通電制御のエラーメッセージを提示する請求項５記載の限定受信放送方法。
【発明の詳細な説明】
【技術分野】
【０００１】
本実施形態は、デジタル放送において、契約情報を含む個人情報（ＥＭＭ：Entitlement Management Message）の送受信により視聴者を限定する限定受信放送装置とその受信装置及び限定受信放送方法に関する。
【背景技術】
【０００２】
限定受信放送にあっては、契約情報を通知する最新のＥＭＭ（契約情報にワーク鍵を含む）を、例えば全チャンネルの放送ＴＳ（Transport Stream）中に映像音声信号とともに多重して伝送し、対応受信装置で当該放送サービスの受信と同時にＥＭＭを取得して更新処理を実施する方法がある。このように、常に最新の個人の契約情報を保持する必要があるため、対応受信装置は視聴者が番組視聴時にＥＭＭを受信する以外の待機時にも定期的に通電制御を実施している。
【先行技術文献】
【非特許文献】
【０００３】
【非特許文献１】ARIB STD-B25、6.2版、電波産業会
【非特許文献２】ARIB TR-B15、6.2版、電波産業会
【発明の概要】
【発明が解決しようとする課題】
【０００４】
ところで、最近の電力供給事情や節電に対する消費者意識の高まりを受けて、放送受信装置においても環境性能への配慮がますます不可欠となってきている。これに対して、限定受信放送にあっては、最新のＥＭＭへの更新が必要であり、受信装置側でＥＭＭを受信するために、定期的に通電制御を実施しなければならない。ＥＭＭは契約者数が増加するほど伝送する総量が増加する。このため、ＥＭＭの伝送帯域に上限があると、１回のＥＭＭ取得に要する時間は一般に長くなる（ＥＭＭの伝送周期が長くなる）傾向にある。この結果、対応受信装置の通電時間が長くなって消費電力が増加してしまう。また、ＥＭＭ受信で用いるＴＳ処理部の受信リソースを他の放送メディアの受信処理等と共用している場合には１回のＥＭＭ取得に要する通電時間が確保できず、ＥＭＭが更新されにくい。
【０００５】
本実施形態は上記課題に鑑みなされたもので、ＥＭＭを効率よく取得して、ＥＭＭの総量が増加しても対応受信装置の消費電力の増加を抑圧可能な限定受信放送装置とその受信装置及び限定受信放送方法を提供することを目的とする。
【課題を解決するための手段】
【０００６】
上記の課題を解決するために、本実施形態は、契約情報を通知する最新のＥＭＭ（Entitlement Management Message）を一定期間、複数チャンネルの放送ＴＳ（Transport Stream）中に映像音声信号とともに多重して送出する限定受信放送において、放送装置側で、前記チャンネルそれぞれの放送ＴＳに前記ＥＭＭを互いに所定のパターンでずらして多重し、前記チャンネルそれぞれで前記ＥＭＭの多重化パターンを示す制御情報を前記放送ＴＳに組み込んで伝送するようにし、受信装置側で、前記複数チャンネルのうちのいずれかの受信チャンネルから前記制御情報を取得し、前記制御情報から受信チャンネルの前記ＥＭＭの多重化パターンを判別し、前記多重化パターンの判別結果から前記ＥＭＭ受信期間を確保可能なチャンネルを検出し、検出されたチャンネルに対して前記ＥＭＭを更新するための通電を設定する態様とする。
【図面の簡単な説明】
【０００７】
【図１】第１の実施形態に係る限定受信用の放送装置の構成を示すブロック図。
【図２】図１に示す放送装置から送信される放送信号を受信する受信端末装置の一構成を示すブロック図。
【図３】図１に示す放送装置のＳＩ情報生成部で組み込まれるＥＭＭ更新のための制御情報のデータ構造を示す図。
【図４】図１に示す放送装置の複数チャンネルで伝送されるＥＭＭの送信タイミングを示すタイミング図。
【図５】図２に示す受信装置の通電制御の流れを示すフローチャート。
【図６】上記実施形態において、ＥＭＭが正しく受信できなかった場合に、画面に表示する通電制御ＮＧメッセージの一例を示す図。
【図７】第２の実施形態に係る限定受信用の放送装置のＳＩ情報生成部で組み込まれるＥＭＭ更新のための制御情報のデータ構造を示す図。
【図８】第２の実施形態に係る放送装置の複数チャンネルで伝送されるＥＭＭの送信タイミングを示すタイミング図。
【図９】図８に示すタイミングで送信されるＥＭＭを受信するための受信端末装置の通電制御の流れを示すフローチャート。
【発明を実施するための形態】
【０００８】
以下、実施形態について、図面を参照して説明する。
【０００９】
（第１の実施形態）
図１乃至図６を参照して、第１の実施形態に係る限定受信用の放送システムについて説明する。
【００１０】
図１は第１の実施形態に係る限定受信用の放送装置１００の構成を示すブロック図である。図１において、１０Ａ，１０Ｂ，１０Ｃ，１０Ｄはそれぞれ番組（編成チャンネル）単位の番組信号生成部を示している。
【００１１】
上記番組信号生成部１０Ａにおいて、放送コンテンツの映像信号、音声信号はそれぞれ映像符号化部１１１、音声符号化部１１２で符号化される。符号化された映像信号及び音声信号は、字幕／文字スーパーがあれば共に、それぞれＰＥＳ（Packetized Elementary Stream）化部１１３，１１４，１１５でＰＥＳパケットに変換される。
【００１２】
一方、上記放送コンテンツの番組に関連する情報は、ＳＩ（Service Information）情報生成部１１６で生成されるＳＩ情報に組み込まれる。また、個人情報における契約情報は、ＥＭＭ生成部１１７で生成されるＥＭＭ情報に組み込まれる。このようにして生成されたＳＩ情報及びＥＭＭ情報は、それぞれセクション化部１１８，１１９で所定のセクションに分割され格納される。
【００１３】
上記ＰＥＳ化部１１３〜１１５、セクション化部１１８，１１９それぞれの出力は１チャンネルの放送データとして多重化部１２０に送られる。図示しないが、他のチャンネルの番組信号生成部１０Ｂ，１０Ｃ，１０Ｄについても同様に構成され、それぞれのチャンネルの放送データは多重化部１２０に送られる。すなわち、各チャンネルの放送データは多重化部１２０でｎチャンネルの放送ＴＳとして多重化された後、伝送路符号化部１２１で伝送路に合致した符号に変換され、放送信号として送出される。
【００１４】
ここで、上記ＥＭＭ生成部１１７で生成されたＥＭＭ情報は、セクション化部１１９で所定のセクションに分割された後、制御部１２２から指示される指定時間、遅延部１２３で遅延されて多重化部１２０に送られる。また、ＳＩ情報生成部１１６は、制御部１２２から同一チャンネルのＥＭＭ情報の送信タイミングを示すデスクリプトを受け取り、ＳＩ情報に組み込む。
【００１５】
尚、上記実施形態の構成において、ＴＳ毎にＥＭＭ生成部１１７及びセクション化部１１９、遅延部１２３を備えるようにしたが、複数のＴＳ間で共有してＥＭＭ情報を生成してもよい。また、複数のＴＳ毎に指定時間分、遅延して供給するようにしてもよい。この場合も、その遅延量は、制御部１２２からの指示に従うものとする。
【００１６】
図２は、本実施形態に係わる放送受信端末装置２００のシステム構成を示すブロック図である。放送受信端末装置２００は、チューナ部２１１、ＬＡＮ／モデム部２１２、入出力処理部２２１、ＮＶＲＡＭ（Non-Volatile Random Access Memory）２２２、ＲＯＭ（Read Only Memory）２２３、ＲＡＭ（Random Access Memory）２２４、ＣＰＵ（Central Processing Unit）２２５、デスランブラ２２６、ＨＤＤインタフェース２２７、セキュリティモジュールインタフェース部（ＳＭ−Ｉ／Ｆ）２２８、ＴＳ（Transport Stream）処理部２３０、音声復号部２３１、映像復号部２３２、ＯＳＤ（On-Screen Display）処理部２３３等を備え、一体または別体でスピーカ、ディスプレイ（図示せず）等を備えている。
【００１７】
チューナ部２１１、ＬＡＮ／モデム部２１２、入出力処理部２２１、ＮＶＲＡＭ２２２、ＲＯＭ２２３、ＲＡＭ２２４、ＣＰＵ２２５、デスランブラ２２６、ＨＤＤインタフェース部２２７、セキュリティモジュールインタフェース部２２８、ＴＳ処理部２３０、音声復号部２３１、映像復号部２３２、ＯＳＤ処理部２３３等はバス２４０に接続されており、相互に通信を行うことが可能である。
【００１８】
チューナ部２１１は、放送局から送信された放送メディアの伝送チャンネルを選択受信し、復調や誤り訂正復号する処理を行う。入出力処理部２２１は、リモコン等を通じて、ユーザからの制御信号の入力（チューナ部による選局）などに利用される。ＮＶＲＡＭ２２２は、例えばユーザにより設定された情報や予約情報等を保持する。ＲＯＭ２２３は、例えば動作プログラムを格納する。ＣＰＵ２２５は、ＲＯＭ２２３に格納されている動作プログラムを実行する。ＲＡＭ２２４は、ＣＰＵ２２５が動作プログラムを実行する際の作業メモリとして利用される。
【００１９】
ＨＤＤインタフェース部２２７にはハードディスク装置（ＨＤＤ）２３４が適宜、接続される。ＨＤＤインタフェース部２２７を通じて、受信した放送信号に対しユーザから直接録画指示されたり、録画予約されたりした番組を選択し、外部接続されたＨＤＤ２３４へ格納することが可能になる。
【００２０】
セキュリティモジュールインタフェース２２８にはセキュリティモジュール２２９が接続される。セキュリティモジュール２２９には、固有のＩＤ番号および暗号化復号鍵が格納されている。暗号化復号鍵は、チューナ部２１１によって受信された暗号化コンテンツを復号するために用いられる。
【００２１】
デスクランブラ２２６は、セキュリティモジュールインタフェース２２８を介してセキュリティモジュール２２９から固有のＩＤ番号および暗号化復号鍵を取得する。デスクランブラ２２６は取得された暗号化復号鍵を用いて放送信号を復号する。なお、ここではセキュリティモジュール２２９は、放送受信端末装置２００の外部にあって、例えばＩＣカードのように独立した着脱式のカードのようなモジュールとして記載したが、受信機内部にあって埋め込み式のチップやソフトウェアによって提供されてもよい。
【００２２】
ＴＳ処理部２３０は、ＴＳ（Transport Stream）の形式で多重されてきた、一般には複数のサービス（放送番組）の中から、リモコンなどから入出力処理部２２１を経て指定される所定のサービスを選択してその番組を構成する映像や音声の信号を多重分離し、デパケット処理を行ってそれぞれの圧縮信号に戻して音声復号部２３１および映像復号部２３２に出力する。音声復号部２３１は、ＴＳ処理部２３０から出力された、例えば圧縮されているＭＰＥＧ−２ＡＡＣ音声符号化信号を復号して音声信号をスピーカに出力する。映像復号部２３２は、ＴＳ処理部２３０から出力された圧縮されている、Ｈ．２６４／ＡＶＣやＭＰＥＧ−２等の映像符号化信号を復号して映像信号を出力する。ＯＳＤ処理部２３３は、映像復号部２３２から出力された映像信号に対しＣＰＵ等で生成されたグラフィック出力と重畳処理を行い、モニタ（ディスプレイ）に映像を表示するための映像信号を出力する。
【００２３】
尚、本実施形態では、説明上、複数のチューナ部２１１（例えば３個搭載し、３種類の放送メディア（地上デジタル放送、ＢＳ放送、ＣＳ放送）に対応すると仮定）、複数のＴＳ処理部２３０（例えば２個搭載し、３種類の放送メディア受信処理で共用すると仮定）として図示している。ＥＭＭ情報の取得対象としている放送メディア以外の、他のメディア２種類の放送サービス受信処理中（リアルタイム視聴や録画番組予約実行など）の場合には、搭載されているＴＳ処理部２３０が占有されてしまい、当該放送メディアのＥＭＭ受信には利用できない。本実施形態では、このようなＥＭＭ受信に利用できない時間帯を避けて、他の時間帯で効率的にＥＭＭ受信を実行することを特徴とする。
【００２４】
上記構成による放送装置１００及び受信端末装置２００において、以下に本実施形態に係るＥＭＭ送受信処理について説明する。
【００２５】
図３は、上記ＳＩ情報生成部１１６において、ＮＩＴ（Network Information Table）情報内に、ＥＭＭについて新規に定義されて記述される制御情報のデータ構造の一例を示している。すなわち、この制御情報は、“CA_emm_offset_descriptor ()”なる名称で新規に定義されるシンタクスであり、対象となるＴＳでの情報はＮＩＴの第２の記述子領域の“descriptor ()”に記載されて伝送される。この記載は、ARIB STD-B25, 6.2版の規格に基づく。
【００２６】
内容の具体例としては、次のようなものが想定される。“CA_System_id”は、１６ビットのフィールドで限定受信方式識別を示し、ＣＡシステムを識別する。“original_start_time”は２４ビットのフィールドで、日単位で基準となる通電制御の開始時間を指定する。６個の４ビット２進化１０進数（ＢＣＤ）で符号化する。“number_of_offset_patterns”は８ビットのフィールドでオフセットパターンの総数を表す。“time_offset”は１６ビットのフィールドで、基準となる通電制御の開始時間に対する当該ＴＳでの通電制御の開始時間のオフセット時間を記述する。“original_start_time”に対するオフセット時間を０時間から＋２４時間の範囲で指定する。この１６ビットは、オフセット時間の１０時間の位、１時間の位、１０分の位、１分の位の４個を、それぞれ４ビット２進化１０進数（ＢＣＤ）で符号化する。“power_supply_period”は８ビットのフィールドで、当該ＴＳでの通電制御の開始時間からの連続通電時間を指定する。この１６ビットは、連続通電時間の１０時間の位、１時間の位、１０分の位、１分の位の４個を、それぞれ４ビット２進化１０進数（ＢＣＤ）で符号化する。
【００２７】
ここで、ARIB STD-B25記載のCA_EM_TS記述子は、非常時などでnetwork内の特定のＴＳでのＥＭＭ伝送を想定したもので、ＥＭＭストリームの伝送パターンは１つしかない。したがって、従来では複数のＴＳ間におけるＥＭＭの伝送タイミングは同時であり、offset値を持たないが、本実施形態によれば、複数のＴＳ間でＥＭＭ伝送タイミングにオフセット値を持たせ、このパターンを効率よく受信端末装置に伝えることが可能となる。この結果、上記シンタクスによる制御情報により、各チャンネルの放送ＴＳ（Ａ〜Ｄ）で、それぞれ図４に示すように、ＥＭＭ情報を例えば１時間ずつずらして送信することができる。これにより、各チャンネルの連続通電時間帯を互いにずらすことができる。
【００２８】
これに対し、受信端末装置２００は、上記のように、複数のＴＳ間でＥＭＭ伝送タイミングにオフセットを持つ放送信号を受信した場合、ＴＳ処理部２３０では、図５に示すフローチャートに従って効率的に通電制御の可能な時間帯とＴＳを特定し実行する。
【００２９】
図５において、放送信号の受信が開始され、任意のチャンネルの放送ＴＳからＳＩ情報が取り出され、ＮＩＴの更新が検知されると（ステップＳ１１）、"CA_emm_offset"の記述子を解析し（ステップＳ１２）、連続通電時間帯を確認する（ステップＳ１３）。ここで、選択チャンネルの連続通電時間帯に番組録画予約があるか判断する（ステップＳ１４）。ここで、“番組予約”の有無の判断は、当該オフセットパターンでの連続通電時間帯（通電開始時間から連促通電時間分の時間帯）に他のメディアの放送サービスの録画予約や通電制御設定が存在するかを確認する。
【００３０】
ステップＳ１４において、確認された連続通電時間帯に番組予約がある場合には、次のチャンネルのオフセットパターンを確認する（ステップＳ１５，Ｓ１６）。この処理を繰り返し、連続通電時間帯に番組予約のないチャンネルが確認された場合には、そのチャンネルにより通電制御設定を行い（ステップＳ１７）、一連の処理を終了する。
【００３１】
ステップＳ１５で全てのチャンネルのオフセットパターンを確認した結果、いずれのチャンネルも番組予約があって通電制御設定を行えない場合には、図６に示すように、「現在、放送Ａの契約情報の定期更新ができず、放送Ａの番組が十分にご利用できない可能性があります。放送Ａ以外の録画予約で不要なものを削除すると改善することがあります。」とのお知らせ情報を提示して（ステップＳ１８）、一連の処理を終了する。
【００３２】
以上のように、本実施形態によれば、放送装置１００において、同一のＥＭＭの送出タイミングを複数チャンネルのＴＳ間で所定の間隔ずつずらして伝送すると共に、その送出パターン情報をＳＩ情報に組み込んで伝送し、対応受信端末装置２００で受信チャンネルのＳＩ情報からＥＭＭ送出パターン情報を検知し、このパターン情報を基にＥＭＭを取得可能なチャンネルを選択することができるようにしている。このため、受信端末装置２００において、都合に応じて通電制御を柔軟かつ効率的にＥＭＭを取得することができ、契約情報の更新機会損失の軽減と消費電力の軽減とを図ることができる。
【００３３】
また、対象とする放送の複数のチューナ／伝送路復号部も装備している場合には、利用可能な、複数のＴＳ処理部を用いて、異なるＴＳに対して所定の通電時間より短時間でＥＭＭの更新処理を実施することもできる。
【００３４】
（第２の実施形態）
図７〜図９を参照して、第２の実施形態に係る限定受信用の放送システムについて説明する。但し、放送装置、受信端末装置の構成については、図１及び図２に示した第１の実施形態の構成と同様であるので、その説明は省略する。
【００３５】
本実施形態は、日単位でＥＭＭ送出パターンのオフセット値を設定することを特徴とする。図７に本実施形態におけるＮＩＴ（Network Information Table）情報内に、ＥＭＭについて新規に定義され記述される制御情報のデータ構造の一例を示している。なお、この例では第１の実施形態とは異なり、ＥＭＭを送出するＴＳは全て同じパターンで送出されるものとし、日単位でこれらのＥＭＭ送出開始時間を設定できるものとして説明する。すなわち、この制御情報は、“CA_emm_offset_descriptor ()”なる名称で新規定義され、対象となる情報はnetwork内共通としてＮＩＴの第１の記述子領域の“descriptor ()”に記載されて伝送される。
【００３６】
内容の具体例としては、次のようなものが想定される。まず、“CA_System_id”は、１６ビットのフィールドで限定受信方式識別を示し、ＣＡシステムを識別する。“emm_offset_pattern_update”は１６ビットのフィールドでＥＭＭ送出運用パターンの更新年月日を示し、ＭＪＤ（修正ユリウス日）の下位１６ビットで符号化する。“pattern_duration”は９ビットのフィールドで同一ＥＭＭ送出パターンが連続する日数を示す。“original_start_time”は２４ビットのフィールドで、日単位で基準となる通電制御の開始時間を指定する。６個の４ビット２進化１０進数（ＢＣＤ）で符号化する。“number_of_offset_patterns”は８ビットのフィールドでオフセットパターンの総数を表す。“time_offset”は１６ビットのフィールドで、基準となる通電制御の開始時間に対する当該ＴＳでの通電制御開始時間のオフセット時間を記述する。“original_start_time”に対するオフセット時間を０時間から＋２４時間の範囲で指定する。この１６ビットは、オフセット時間の１０時間の位、１時間の位、１０分の位、１分の位の４個を、それぞれ４ビット２進化１０進数（ＢＣＤ）で符号化する。“power_supply_period”は８ビットのフィールドで、当該ＴＳでの通電制御開始時間からの連続通電時間を指定する。この１６ビットは、連続通電時間の１０時間の位、１時間の位、１０分の位、１分の位の４個を、それぞれ４ビット２進化１０進数（ＢＣＤ）で符号化する。
【００３７】
上記シンタクスによる制御情報により、各チャンネルの放送ＴＳ（Ａ〜Ｄ）で、それぞれ図８に示すように、ＥＭＭ情報を例えば１時間ずつずらして送信することができる。これにより、各チャンネルの連続通電時間帯を互いにずらすことができる。
【００３８】
これに対し、受信端末装置２００は、上記のように、複数のＴＳ間でＥＭＭ伝送タイミングにオフセットを持つ放送信号を受信した場合、ＴＳ処理部２３０では、図９に示すフローチャートに従って効率的に通電制御の可能な日時決定し実行する。
【００３９】
図９において、放送信号の受信が開始され、任意のチャンネルの放送ＴＳからＳＩ情報が取り出され、ＮＩＴの更新が検知されると（ステップＳ２１）、"CA_emm_offset"の記述子を解析し（ステップＳ２２）、現在時刻における年月日を取得し（ステップＳ２３）、運用パターン更新日からの経過日数を計算し（ステップＳ２４）、直近のオフセットパターンを特定して（ステップＳ２５）、連続通電時間帯を確認して（ステップＳ２６）、連続通電時間帯に番組予約があるか判断する（ステップＳ２７）。ここで、“番組予約あり？”の判断は、当該オフセットパターンでの連続通電時間帯（通電開始時間から連促通電時間分の時間帯）に他のメディアの放送サービスの録画予約や通電制御設定が存在するかを確認する。ただし、確認の単位は同一送出連続日数ごととなる。
【００４０】
すなわち、番組予約がある場合には、同一連続日数が終了しているか判断し（ステップＳ２８）、終了していなければ、次の日の処理に移行して（ステップＳ２９）、ステップＳ２７の確認処理を繰り返す。また、ステップＳ２８において、同一連続日数が終了していた場合には、全オフセットパターンの判定が終了したか判断し（ステップＳ３０）、終了していなければ、次のオフセットパターンの確認処理に移行する（ステップＳ３１）。上記のオフセットパターンの連続通電時間帯における番組予約の有無判断において、番組予約のない連続通電時間帯が検出された場合には、通電制御の設定を行って（ステップＳ３２）、一連の処理を終了する。また、ステップＳ３０の判断で、全てのオフセットパターンについて番組予約が入っていることが検出された場合には、図６に示した通電制御ＮＧメッセージを提示して、一連の処理を終了する。
【００４１】
上記実施形態によれば、日単位でＥＭＭ送出パターンのオフセット値を設定するようにしているので、毎日の連続ドラマの録画予約が設定されているなどで同一時間帯では通電制御の処理リソースの確保が難しい場合でも、より柔軟かつ効率的にＥＭＭを取得するための通電制御を行うことができる。
【００４２】
以上のように、本実施形態は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００４３】
１００…限定受信用放送装置、１０Ａ，１０Ｂ，１０Ｃ，１０Ｄ…番組信号生成部、１１１…映像符号化部、１１２…音声符号化部、１１３，１１４，１１５…ＰＥＳ（Packetized Elementary Stream）化部、１１６…ＳＩ（Program Specific Information / Service Information）情報生成部、１１７…ＥＭＭ生成部、１１８，１１９…セクション化部、１２０…多重化部、１２１…伝送路符号化部、１２２…制御部、１２３…遅延部、
２００…放送受信端末装置、２１１…チューナ部、２１２…ＬＡＮ／モデム部、２２１…入出力処理部、２２２…ＮＶＲＡＭ（Non-Volatile Random Access Memory）、２２３…ＲＯＭ（Read Only Memory）、２２４…ＲＡＭ（Random Access Memory）、２２５…ＣＰＵ（Central Processing Unit）、２２６…デスランブラ、２２７…ＨＤＤインタフェース、２２８…セキュリティモジュールインタフェース部（ＳＭ−Ｉ／Ｆ）、２２９…セキュリティモジュール、２３０…ＴＳ（Transport Stream）処理部、２３１…音声復号部、２３２…映像復号部、２３３…ＯＳＤ（On-Screen Display）処理部、２３４…ハードディスク装置（ＨＤＤ）、２４０…バス
【図１】
2015095875.tif 000003
【図２】
2015095875.tif 000004
【図３】
2015095875.tif 000005
【図４】
2015095875.tif 000006
【図５】
2015095875.tif 000007
【図６】
2015095875.tif 000008
【図７】
2015095875.tif 000009
【図８】
2015095875.tif 000010
【図９】
2015095875.tif 000011